(57)【要約】【課題】操作性をより高めることができる回転補助アセンブリを提供する。【解決手段】回転補助アセンブリ４は、ベース部（第１ベース部４６、第２ベース部４７、第３ベース部５０、第４ベース部４９）と、グリップ部（第１グリップ部４３、第２グリップ部４４、第３グリップ部４５）と、を備えている。ベース部は回転調整部材の回転方向に沿って回転調整部材に巻かれる。グリップ部は、ベース部と回転方向に連結されており、回転調整部材を回転操作する際にユーザーが指を当てる。回転調整部材の回転中心から、グリップ部の回転調整部材の半径方向の外側の面までの第１最大寸法（Ｌ１、Ｌ２、Ｌ３）は、回転中心から、ベース部の半径方向の外側の面までの第２最大寸法（Ｌ０）よりも大きい。【選択図】図２
2012063693.tif 000002
【特許請求の範囲】
【請求項１】
レンズ鏡筒に含まれる回転調整部材の回転操作を補助するための回転補助アセンブリであって、
前記回転調整部材の回転方向に沿って前記回転調整部材に巻かれるベース部と、
前記ベース部と前記回転方向に連結され、前記回転調整部材を回転操作する際にユーザーが指を当てるためのグリップ部と、を備え、
前記回転調整部材の回転中心から、前記グリップ部の前記回転調整部材の半径方向の外側の面までの第１最大寸法は、前記回転中心から、前記ベース部の前記半径方向の外側の面までの第２最大寸法よりも大きい、
回転補助アセンブリ。
【請求項２】
前記グリップ部の前記半径方向の寸法は、前記ベース部の前記半径方向の寸法よりも大きい、
請求項１に記載の回転補助アセンブリ。
【請求項３】
前記グリップ部は、前記半径方向内側の面に配置され前記半径方向に延びる少なくとも１つのスリットを有している、
請求項２に記載の回転補助アセンブリ。
【請求項４】
前記スリットに取り外し可能に挿入される挿入部を含む固定部をさらに備えた、
請求項３に記載の回転補助アセンブリ。
【請求項５】
複数の前記スリットは、前記半径方向の内側の面に配置されており、前記回転方向の異なる位置に配置されている、
請求項３または４に記載の回転補助アセンブリ。
【請求項６】
前記グリップ部は、前記回転方向に互いに間隔を空けて配置され前記回転方向に少なくとも前記ベース部の一部を挟んで配置された第１グリップ部および第２グリップ部を含む、
請求項１〜５のいずれかに記載の回転補助アセンブリ。
【請求項７】
前記グリップ部は、前記半径方向の外側の面に配置され前記回転方向に凹と凸とが繰り返されて形成された凹凸形状を有する、
請求項１〜６のいずれかに記載の回転補助アセンブリ。
【請求項８】
前記ベース部は、前記回転方向の異なる位置に配置される少なくとも１つの止め部をさらに含み、
前記固定部は、前記少なくとも１つの止め部に対して装着可能に設けられた装着部をさらに含む、
請求項４または５に記載の回転補助アセンブリ。
【請求項９】
前記回転調整部材の前記半径方向の外側の面上に形成される凹部に挿入されるように前記グリップ部の前記半径方向の内側の面および前記ベース部の前記半径方向の内側の面のうち少なくとも一方から前記半径方向の内側に突出する少なくとも１つの回転規制突起をさらに備えた、
請求項１〜８のいずれかに記載の回転補助アセンブリ。
【請求項１０】
前記回転方向および前記半径方向に直交する幅方向から見た場合に、前記回転規制突起は１箇所だけ設けられている、
請求項９に記載の回転補助アセンブリ。
【発明の詳細な説明】
【技術分野】
【０００１】
ここに開示される技術は、レンズ鏡筒に含まれる回転調整部材の回転操作を補助するための回転補助アセンブリに関する。
【背景技術】
【０００２】
撮像装置のレンズ鏡筒はズームリングやフォーカスリングなどの回転調整部材を有している。ユーザーがズームリングを回転させると、光学系の焦点距離（画角）を調整することができる。また、ユーザーがフォーカスリングを回転させると、撮影距離（主被写体から撮像装置までの距離）を調整することができる。
【０００３】
しかし、回転調整部材の寸法や操作力には様々な種類が存在し、それと同様に、ユーザーの手の大きさも様々である。したがって、回転調整部材を回転させる際に、回転調整部材を操作しにくいと感じるユーザーも少なくない。
【０００４】
そこで、回転調整部材の回転操作を補助する補助装置が提案されている（例えば、特許文献１を参照）。
【先行技術文献】
【特許文献】
【０００５】
【特許文献１】実用新案登録第３１６０５４６号公報
【発明の概要】
【発明が解決しようとする課題】
【０００６】
しかし、特許文献１に記載の補助装置では、リング部材の外径が一定であるので、ユーザーが回転操作しにくいと感じる場合もあり得る。
【０００７】
ここに開示される技術は、操作性をさらに高めることができる回転補助アセンブリを提供することを目的とする。
【課題を解決するための手段】
【０００８】
ここに開示される回転補助アセンブリは、レンズ鏡筒に含まれる回転調整部材の回転操作を補助するためのアセンブリであって、ベース部と、グリップ部と、を備えている。ベース部は回転調整部材の回転方向に沿って回転調整部材に巻かれる。グリップ部は、ベース部と回転方向に連結されており、回転調整部材を回転操作する際にユーザーが指を当てる。回転調整部材の回転中心から、グリップ部の回転調整部材の半径方向の外側の面までの第１最大寸法は、回転中心から、ベース部の半径方向の外側の面までの第２最大寸法よりも大きい。
【０００９】
ここで、回転補助アセンブリは、複数の部材から構成されていてもよいし、単一の部材で構成されていてもよい。また、ベース部は、複数の部分から構成されていてもよいし、単一の部分で構成されていてもよい。さらに、グリップ部は、複数の部分から構成されていてもよいし、単一の部分で構成されていてもよい。
【００１０】
この回転補助アセンブリでは、第１最大寸法が第２最大寸法よりも大きいので、ユーザーがグリップ部に指を当てて回転補助アセンブリを回転操作することで、比較的大きな回転モーメントを得やすくなる。
【発明の効果】
【００１１】
したがって、ここに開示される技術であれば、操作性をさらに高めることができる回転補助アセンブリを提供することができる。
【図面の簡単な説明】
【００１２】
【図１】（Ａ）回転補助アセンブリが装着されたデジタルカメラの斜視図、（Ｂ）デジタルカメラの斜視図
【図２】（Ａ）回転補助アセンブリの平面図（装着状態）、（Ｂ）グリップベルトの平面図
【図３】（Ａ）回転補助アセンブリの平面図（非装着状態）、（Ｂ）回転補助アセンブリの平面図（非装着状態）
【図４】（Ａ）グリップベルトの斜視図、（Ｂ）グリップベルトの斜視図
【図５】グリップベルトの斜視図
【図６】第１グリップ部の拡大平面図
【図７】図６のVII−VII断面図
【図８】（Ａ）第２グリップ部の拡大平面図、（Ｂ）第３グリップ部の拡大平面図
【図９】（Ａ）図９（Ｂ）のIXA−IXA断面図、（Ｂ）固定ベルトの平面図
【図１０】グリップ部の拡大平面図（他の実施形態）
【発明を実施するための形態】
【００１３】
〔デジタルカメラの構成〕
デジタルカメラ１は、被写体の画像データを取得可能な撮像装置であり、レンズ交換式のデジタルカメラである。図１（Ａ）および図１（Ｂ）に示すように、デジタルカメラ１はカメラ本体２および交換レンズユニット３を有している。
【００１４】
交換レンズユニット３（レンズ鏡筒の一例）は、鏡筒３２およびズームリング３１（回転調整部材の一例）を有している。ズームリング３１は鏡筒３２により回転可能に支持されている。ズームリング３１を回転させることで、光学系Ｏの焦点距離（画角）を調整することができる。
【００１５】
なお、ズームリング３１の回転方向を「回転方向」（回転調整部材の回転方向の一例）とする。回転方向は、回転補助アセンブリ４が回転操作される方向と概ね一致しており、回転補助アセンブリ４の円周方向と概ね一致している。また、ズームリング３１の半径方向（光軸Ａに直交する方向）を「半径方向」（回転調整部材の半径方向の一例）とする。半径方向は回転補助アセンブリ４の半径方向と概ね一致している。さらに、光学系Ｏの光軸Ａに平行な方向を「光軸方向」および「幅方向」（回転方向および半径方向に直交する幅方向の一例）とする。以下の説明では、以上に説明した方向を使って回転補助アセンブリ４の各部の構成を説明する。
【００１６】
なお、ズームリング３１の回転中心は光軸Ａ上に配置されているので、以下の説明では、ズームリング３１の回転中心を回転中心Ａとも称する。
【００１７】
〔回転補助アセンブリ〕
回転補助アセンブリ４は、ズームリング３１の回転操作を補助する部材であり、ズームリング３１の外周側に装着可能である。図２（Ａ）〜図５に示すように、回転補助アセンブリ４はグリップベルト４１、固定ベルト４２およびフェルト４８を備えている。
【００１８】
＜グリップベルト＞
グリップベルト４１は、概ねベルト状の部材であり、例えば全体が樹脂により一体成形されている。ズームリング３１に装着しやすいように、グリップベルト４１は概ねＣ字形状を有している。グリップベルト４１の長さは通常の回転調整部材の外周よりも大幅に短く設定されているので、回転調整部材にグリップベルト４１を装着してもグリップベルト４１の端部同士が接触しない。回転補助アセンブリ４をズームリング３１に装着する際、グリップベルト４１の端部同士は後述の固定ベルト４２により連結される。グリップベルト４１は、第１ベース部４６、第２ベース部４７、第３ベース部５０、第４ベース部４９、第１グリップ部４３、第２グリップ部４４、第３グリップ部４５および回転規制突起４５ａを有している。
【００１９】
（１）第１ベース部４６
第１ベース部４６（ベース部の一例、ベース部の一部の一例）は、ズームリング３１の回転方向（回転調整部材の回転方向）に沿ってズームリング３１に巻装されるベルト状の部分であり、第１グリップ部４３および第３グリップ部４５を回転方向に連結している。第１ベース部４６は、他のベース部（第２ベース部４７、第３ベース部５０および第４ベース部４９）の中でも比較的長い部分であり、第１グリップ部４３および第３グリップ部４５の間に配置されている。
【００２０】
（２）第２ベース部４７
第２ベース部４７（ベース部の一例）は、ズームリング３１の回転方向（回転調整部材の回転方向）に沿ってズームリング３１に巻装されるベルト状の部分であり、回転方向に第２グリップ部４４に連結されている。第２ベース部４７は、第２グリップ部４４から回転方向に突出しており、グリップベルト４１の第１端部を形成している。
【００２１】
第２ベース部４７は、回転方向に間隔を空けて配置された止め部４７ａおよび４７ｂを有している。止め部４７ａおよび４７ｂ（止め部の一例）は、固定ベルト４２を引っ掛けるために設けられており、第２ベース部４７から半径方向外側に突出している。固定ベルト４２を引っ掛けるために、幅方向（光軸方向）から見た場合に止め部４７ａおよび４７ｂは概ねＬ字形状を有している。
【００２２】
（３）第３ベース部５０
第３ベース部５０（ベース部の一例）は、ベルト状の部分であり、第２グリップ部４４および第３グリップ部４５を回転方向に連結している。第３ベース部５０は第２グリップ部４４および第３グリップ部４５の間に配置されている。第３ベース部５０は第１ベース部４６および第２ベース部４７よりも短い。
【００２３】
（４）第４ベース部４９
第４ベース部４９（ベース部の一例）は、ベルト状の部分であり、回転方向に第１グリップ部４３に連結されている。第４ベース部４９は、第１グリップ部４３から回転方向に突出しており、グリップベルト４１の第２端部を形成している。第４ベース部４９は第１ベース部４６および第２ベース部４７よりも短い。
【００２４】
（５）第１グリップ部４３
第１グリップ部４３（グリップ部の一例、第１グリップ部の一例）は、ユーザーがズームリング３１を回転させる際に指を当てるために設けられており、ベース部（第１ベース部４６、第２ベース部４７、第３ベース部５０および第４ベース部４９）とともに概ねベルト状の部分を形成している。第１グリップ部４３は第１ベース部４６および第４ベース部４９に回転方向に連結されている。第１グリップ部４３は、回転方向において第１ベース部４６および第４ベース部４９の間に配置されており、第１ベース部４６および第４ベース部４９と一体形成されている。第１グリップ部４３は、４つの第１スリット４３ａ、第１滑り止め部４３ｂおよび１対の装着溝４３ｅを有している。
【００２５】
第１スリット４３ａ（第１スリットの一例）は、第１グリップ部４３の半径方向内側の面に配置されており、半径方向に延びている。４つの第１スリット４３ａは、回転方向の異なる位置に配置されており、回転方向に概ね等間隔に配置されている。第１スリット４３ａが半径方向に比較的深く形成されているので、第１スリット４３ａにより第１グリップ部４３の回転方向の剛性（特に、第１グリップ部４３の内周部の剛性）が低くなり、第１グリップ部４３に回転方向の伸縮性を持たせることができる。本実施形態では、第１スリット４３ａの半径方向の寸法は第１グリップ部４３の半径方向の寸法Ｍ１１の半分よりも大きい。
【００２６】
本実施形態では、４つの第１スリット４３ａに固定ベルト４２の端部が引っ掛けられるようになっている。具体的には図６に示すように、第１スリット４３ａはそれぞれ凹部４３ｄを有している。凹部４３ｄは、固定ベルト４２の挿入部４２ｃ、４２ｄ、４２ｅ（後述）の脱落を防止するために設けられており、幅方向から見た場合に概ね半円形状を有している。凹部４３ｄは第１スリット４３ａの第４ベース部４９側の側壁に配置されている。なお、凹部４３ｄの位置は第１スリット４３ａの第１ベース部４６側の側壁に配置されていてもよいが、固定ベルト４２を引っ掛ける方向を考慮すると、凹部４３ｄは第１スリット４３ａの第４ベース部４９側の側壁（回転方向において止め部４７ａおよび４７ｂに近い側の側壁）に配置されていることが好ましい。
【００２７】
図６および図７に示すように、装着溝４３ｅは、固定ベルト４２の１対の連結部４２ａ（後述）が嵌め込まれるように形成されており、回転方向に延びている。装着溝４３ｅの半径方向の位置は凹部４３ｄの半径方向の位置を概ね同じである。図７に示すように、回転方向から見た場合に装着溝４３ｅは概ね半円形状を有している。
【００２８】
図２（Ａ）〜図６に示すように、第１滑り止め部４３ｂは、回転方向に凹と凸とが繰り返されて形成された凹凸形状を有している。具体的には、第１滑り止め部４３ｂは回転方向に等間隔に配置された複数の第１溝４３ｃを有している。複数の第１溝４３ｃにより凹凸形状が形成されている。
【００２９】
（６）第２グリップ部４４
図２（Ａ）〜図５および図８（Ａ）に示すように、第２グリップ部４４（グリップ部の一例、第２グリップ部の一例）は、ユーザーがズームリング３１を回転させる際に指を当てるために設けられており、ベース部（第１ベース部４６、第２ベース部４７、第３ベース部５０および第４ベース部４９）とともに概ねベルト状の部分を形成している。第２グリップ部４４は第２ベース部４７および第３ベース部５０に回転方向に連結されている。第１グリップ部４３および第２グリップ部４４は回転方向に間隔を空けて配置されている。本実施形態では、第１グリップ部４３および第２グリップ部４４は光軸Ａを挟んで互いに反対側に配置されている。第２グリップ部４４は、回転方向において第２ベース部４７および第３グリップ部４５の間に配置されており、第２ベース部４７および第３ベース部５０と一体形成されている。第２グリップ部４４は、３つの第２スリット４４ａおよび第２滑り止め部４４ｂを有している。
【００３０】
第２スリット４４ａ（第２スリットの一例）は、第２グリップ部４４の半径方向内側の面に配置されており、半径方向に延びている。３つの第２スリット４４ａは、回転方向の異なる位置に配置されており、回転方向に概ね等間隔に配置されている。第２スリット４４ａが半径方向に比較的深く形成されているので、第２スリット４４ａにより第２グリップ部４４の回転方向の剛性（特に、第２グリップ部４４の内周部の剛性）が低くなり、第２グリップ部４４に回転方向の伸縮性を持たせることができる。本実施形態では、第２スリット４４ａの半径方向の寸法は第２グリップ部４４の半径方向の寸法Ｍ２１の半分よりも大きい。
【００３１】
第２滑り止め部４４ｂは、回転方向に凹と凸とが繰り返されて形成された凹凸形状を有している。具体的には、第２滑り止め部４４ｂは回転方向に等間隔に配置された複数の第２溝４４ｃを有している。複数の第２溝４４ｃにより凹凸形状が形成されている。
【００３２】
（７）第３グリップ部４５
図２（Ａ）〜図５および図８（Ｂ）に示すように、第３グリップ部４５（グリップ部の一例）は、ユーザーがズームリング３１を回転させる際に指を当てたり指でつまんだりするために設けられており、回転方向に第１ベース部４６および第３ベース部５０に連結されている。第３グリップ部４５は、回転方向において第１ベース部４６および第３ベース部５０の間に配置されており、第１ベース部４６および第３ベース部５０と一体形成されている。
【００３３】
第３グリップ部４５は第３滑り止め部４５ｂを有している。第３滑り止め部４５ｂは凹と凸とが繰り返されて形成された凹凸形状を有している。具体的には、第３滑り止め部４５ｂは半径方向に等間隔に配置された複数の第３溝４５ｃを有している。複数の第３溝４５ｃにより凹凸形状が形成されている。
【００３４】
（８）回転規制突起
回転規制突起４５ａは、ズームリング３１に対してグリップベルト４１が回転方向にずれるのを抑制するために設けられており、第３グリップ部４５の半径方向内側の面に配置されている。具体的には図８（Ｂ）に示すように、回転規制突起４５ａは第３グリップ部４５の半径方向内側の面から半径方向内側に突出している。図５に示すように、本実施形態では、回転規制突起４５ａは、幅方向に細長く延びており、第３グリップ部４５の幅と同じ長さを有している。例えば図８（Ｂ）に示すように、ズームリング３１の外周面には、滑り止めのために複数の溝３１ａが形成されている。溝３１ａに回転規制突起４５ａが嵌り込むように回転補助アセンブリ４をズームリング３１に装着すると、回転補助アセンブリ４がズームリング３１に対して回転方向に滑りそうになっても、回転規制突起４５ａが溝３１ａに当たって回転補助アセンブリ４が滑るのを抑制できる。
【００３５】
なお、本実施形態では、幅方向から見た場合に、回転規制突起４５ａは１箇所だけ設けられている。
【００３６】
＜固定ベルト＞
図２（Ａ）、図３（Ａ）および図３（Ｂ）に示すように、固定ベルト４２（固定部の一例）は、ズームリング３１に巻き付けられたグリップベルト４１を締め付けるための部材であり、例えば全体がゴムにより一体成形されている。本実施形態では、固定ベルト４２の剛性はグリップベルト４１の材質の剛性よりも低い。より詳細には、装着時に引っ張って伸ばせるように、固定ベルト４２は伸縮性を有している。図９（Ａ）および図９（Ｂ）に示すように、固定ベルト４２は、１対の連結部４２ａ、３つの挿入部４２ｃ、４２ｄ、４２ｅおよびベルト端部４２ｆを有している。
【００３７】
１対の連結部４２ａは、回転方向に細長く延びており、３つの挿入部４２ｃ、４２ｄ、４２ｅおよびベルト端部４２ｆを連結している。挿入部４２ｃ、４２ｄ、４２ｅ（挿入部の一例）は、１対の連結部４２ａを幅方向に連結しており、回転方向に間隔を空けて配置されている。挿入部４２ｃ、４２ｄ、４２ｅのうち１つは、４つの第１スリット４３ａのうち１つに取り外し可能に挿入されている。
【００３８】
ベルト端部４２ｆ（装着部の一例）は、止め部４７ａまたは４７ｂに取り外し可能に引っ掛けられる。ベルト端部４２ｆは、ユーザーが固定ベルト４２を止め部４７ａまたは４７ｂに引っ掛ける際に握る部分でもある。ベルト端部４２ｆは固定ベルト４２がゴム製のため、ベルト端部４２ｆを止め部４７ａまたは４７ｂに引っ掛ける際に、ベルト端部４２ｆを引っ張って固定ベルト４２全体を延ばすことができる。回転補助アセンブリ４がズームリング３１に装着されている状態で、１対の連結部４２ａは１対の装着溝４３ｅに嵌り込んでいる。
【００３９】
＜フェルト＞
図２（Ａ）に示すように、フェルト４８は、回転補助アセンブリ４がズームリング３１に対して回転方向に滑ってしまうのを抑制するために設けられており、グリップベルト４１の内側（より詳細には、第２ベース部４７の内側）に固定されている。フェルト４８は回転規制突起４５ａの補助として設けられている。フェルト４８は例えば不織布により形成されている。本実施形態では、フェルト４８の回転方向の寸法は第２ベース部４７の回転方向の寸法と概ね同じである。
【００４０】
フェルト４８がグリップベルト４１に対して回転方向に移動しないように、グリップベルト４１は位置決め突起４８ａおよび４８ｂを有している。位置決め突起４８ａおよび４８ｂは回転方向に間隔を空けて配置されており、フェルト４８は位置決め突起４８ａおよび４８ｂの回転方向間に配置されている。位置決め突起４８ａおよび４８ｂの半径方向の寸法はフェルト４８の厚み（半径方向の寸法）よりも小さく設定されている。これにより、位置決め突起４８ａおよび４８ｂがズームリング３１と接触するのを防止できる。つまり、回転規制突起４５ａとは異なり、位置決め突起４８ａおよび４８ｂ自体はグリップベルト４１のズームリング３１に対する滑りを抑制する機能は有していない。
【００４１】
〔各部の寸法関係〕
ここで、グリップベルト４１の各部の寸法関係について説明する。
【００４２】
図２（Ａ）および図６に示すように、第１グリップ部４３は回転方向に細長く延びているので、第１グリップ部４３の回転方向の寸法Ｍ１３は半径方向の寸法Ｍ１１よりも大きい。また、第１滑り止め部４３ｂの回転方向の寸法Ｍ１２は寸法Ｍ１１よりも大きい。ここで、寸法Ｍ１３は第１グリップ部４３と第１ベース部４６との境界から第１グリップ部４３と第２ベース部４７との境界までの回転方向の寸法である。第１グリップ部４３には根元のＲ部が含まれる。
【００４３】
図２（Ａ）および図８（Ａ）に示すように、第１グリップ部４３と同様に、第２グリップ部４４は回転方向に細長く延びているので、第２グリップ部４４の回転方向の寸法Ｍ２３は半径方向の寸法Ｍ２１よりも大きい。また、第２滑り止め部４４ｂの回転方向の寸法Ｍ２２は寸法Ｍ２１よりも大きい。ここで、寸法Ｍ２３は第２グリップ部４４と第１ベース部４６との境界から第２グリップ部４４と第２ベース部４７との境界までの回転方向の寸法である。第２グリップ部４４には根元のＲ部が含まれる。
【００４４】
一方、図２（Ａ）および図８（Ｂ）に示すように、第１グリップ部４３および第２グリップ部４４と異なり、第３グリップ部４５は半径方向に細長く延びているので、第３グリップ部４５の回転方向の寸法Ｍ３３は半径方向の寸法Ｍ３１よりも小さい。
【００４５】
また、図２（Ａ）に示すように、ズームリング３１の回転中心（光軸Ａ）から、グリップ部（第１グリップ部４３、第２グリップ部４４および第３グリップ部４５）の半径方向外側の面までの第１最大寸法（寸法Ｌ１、Ｌ２およびＬ３）は、回転中心（光軸Ａ）から、ベース部（第１ベース部４６、第２ベース部４７、第３ベース部５０および第４ベース部４９）の半径方向外側の面までの第２最大寸法（寸法Ｌ０）よりも大きい。具体的には、回転中心Ａから第１グリップ部４３の半径方向外側の面までの寸法Ｌ１は、回転中心Ａからベース部（第１ベース部４６、第２ベース部４７、第３ベース部５０および第４ベース部４９）の半径方向外側の面までの寸法Ｌ０よりも大きい。回転中心Ａから第２グリップ部４４の半径方向外側の面までの寸法Ｌ２は、回転中心Ａからベース部（第１ベース部４６、第２ベース部４７、第３ベース部５０および第４ベース部４９）の半径方向外側の面までの寸法Ｌ０よりも大きい。さらに、回転中心Ａから第３グリップ部４５の半径方向外側の面までの寸法Ｌ３は、回転中心Ａからベース部（第１ベース部４６、第２ベース部４７、第３ベース部５０および第４ベース部４９）の半径方向外側の面までの寸法Ｌ０よりも大きい。したがって、ユーザーが第１グリップ部４３、第２グリップ部４４および第３グリップ部４５を使って回転操作することで、比較的大きな回転モーメントを得ることができる。
【００４６】
また、図２（Ａ）に示すように、グリップ部（第１グリップ部４３、第２グリップ部４４および第３グリップ部４５）の半径方向の寸法（寸法Ｍ１１、Ｍ２１、Ｍ３１）は、ベース部（第１ベース部４６、第２ベース部４７、第３ベース部５０および第４ベース部４９）の半径方向の寸法（寸法Ｍ０）よりも大きい。具体的には、第１グリップ部４３の半径方向の寸法Ｍ１１は、ベース部（第１ベース部４６、第２ベース部４７、第３ベース部５０および第４ベース部４９）の半径方向の寸法Ｍ０よりも大きい。第２グリップ部４４の半径方向の寸法Ｍ２１は、ベース部（第１ベース部４６、第２ベース部４７、第３ベース部５０および第４ベース部４９）の半径方向の寸法Ｍ０よりも大きい。第３グリップ部４５の半径方向の寸法Ｍ３１は、ベース部（第１ベース部４６、第２ベース部４７、第３ベース部５０および第４ベース部４９）の半径方向の寸法Ｍ０よりも大きい。このように、第１グリップ部４３、第２グリップ部４４および第３グリップ部４５はベース部（第１ベース部４６、第２ベース部４７、第３ベース部５０および第４ベース部４９）から半径方向外側に突出しているので、ユーザーが指を引っ掛けやすくなるとともに、ベース部（第１ベース部４６、第２ベース部４７、第３ベース部５０および第４ベース部４９）を薄くできるので、グリップベルト４１をズームリング３１に装着しやすくなる。
【００４７】
なお、本実施形態では、第１グリップ部４３の回転方向の寸法Ｍ１３は第２グリップ部４４の回転方向の寸法Ｍ２３よりも大きい。このため、回転調整部材の外周の長さが変わっても、第１グリップ部４３および第２グリップ部４４が回転中心を挟んで概ね反対側に配置されることになる。
【００４８】
〔装着および取り外し作業〕
ここで、回転補助アセンブリ４の装着および取り外し作業について説明する。
【００４９】
例えば、図３（Ａ）および図３（Ｂ）に示すように、固定ベルト４２のベルト端部４２ｆを止め部４７ａおよび４７ｂから取り外した状態で、グリップベルト４１をズームリング３１に巻きつける。このとき、第１グリップ部４３が第１スリット４３ａを有しており、かつ、第２グリップ部４４が第２スリット４４ａを有しているので、グリップベルト４１を大きく開きやすくなっている。
【００５０】
グリップベルト４１をズームリング３１に巻きつける際に、回転規制突起４５ａがズームリング３１の溝３１ａに嵌り込むようにグリップベルト４１の位置を調整する（図８（Ｂ）参照）。これにより、回転補助アセンブリ４がズームリング３１に対して回転方向に滑るのを抑制できる。
【００５１】
グリップベルト４１をズームリング３１に巻きつけた後に、固定ベルト４２のベルト端部４２ｆを止め部４７ａまたは４７ｂに引っ掛ける。このとき、固定ベルト４２がある程度伸びた状態になるように、止め部４７ａおよび４７ｂのうち一方を選択する。また、４つの第１スリット４３ａのうち挿入部４２ｃを引っ掛ける第１スリット４３ａを変えたり、あるいは、挿入部４２ｃ、４２ｄ、４２ｅのうち第１スリット４３ａに引っ掛ける部分を変えたりすることで、回転補助アセンブリ４の回転方向の長さ調整を行うことができ、回転補助アセンブリ４の締め付け具合を調整することができる。
【００５２】
なお、回転補助アセンブリ４をズームリング３１から取り外す際は、ベルト端部４２ｆを引っ張りながらベルト端部４２ｆを止め部４７ａまたは４７ｂから取り外す。固定ベルト４２を止め部４７ａまたは４７ｂから取り外すと、グリップベルト４１を大きく開いてグリップベルト４１をズームリング３１から取り外すことができる。
【００５３】
〔ズーム操作〕
ユーザーがズーム操作をする際、回転補助アセンブリ４の第１グリップ部４３および第２グリップ部４４に指を添えてズームリング３１および回転補助アセンブリ４を回転させる。このとき、第１滑り止め部４３ｂおよび第２滑り止め部４４ｂが凹凸形状を有しているので、指が滑りにくい。また、回転中心Ａから第１グリップ部４３の半径方向外側の面までの寸法Ｌ１は、回転中心Ａからベース部（第１ベース部４６、第２ベース部４７、第３ベース部５０および第４ベース部４９）の半径方向外側の面までの寸法Ｌ０よりも大きい。このため、比較的大きな回転モーメントを得やすくなり、操作性をより高めることができる。
【００５４】
また、第３グリップ部４５をユーザーが指でつまんでズームリング３１を回転操作する場合もあり得る。この場合、第３グリップ部４５が１対の第３滑り止め部４５ｂを有しているので、指が滑りにくい。また、第１グリップ部４３および第２グリップ部４４よりも第３グリップ部４５が半径方向に細長いので、比較的大きな回転モーメントを得やすくなり、操作性をより高めることができる。
【００５５】
〔回転補助アセンブリの特徴〕
以上に説明した回転補助アセンブリ４の特徴を以下にまとめる。
【００５６】
（１）ズームリング３１の回転中心Ａからグリップ部（第１グリップ部４３、第２グリップ部４４および第３グリップ部４５）の半径方向外側の面までの寸法（Ｌ１、Ｌ２、Ｌ３）は、回転中心Ａからベース部（第１ベース部４６、第２ベース部４７、第３ベース部５０および第４ベース部４９）の半径方向外側の面までの寸法（Ｌ０）よりも大きい。具体的には、回転中心Ａから第１グリップ部４３の半径方向外側の面までの寸法Ｌ１は、回転中心Ａからベース部（第１ベース部４６、第２ベース部４７、第３ベース部５０および第４ベース部４９）の半径方向外側の面までの寸法Ｌ０よりも大きい。回転中心Ａから第２グリップ部４４の半径方向外側の面までの寸法Ｌ２は、回転中心Ａからベース部（第１ベース部４６、第２ベース部４７、第３ベース部５０および第４ベース部４９）の半径方向外側の面までの寸法Ｌ０よりも大きい。回転中心Ａから第３グリップ部４５の半径方向外側の面までの寸法Ｌ３は、回転中心Ａからベース部（第１ベース部４６、第２ベース部４７、第３ベース部５０および第４ベース部４９）の半径方向外側の面までの寸法Ｌ０よりも大きい。したがって、グリップ部（第１グリップ部４３、第２グリップ部４４および第３グリップ部４５）に指を当てて回転補助アセンブリ４を回転操作することで、比較的大きな回転モーメントを得やすくなり、操作性をより高めることができる。
【００５７】
（２）グリップ部（第１グリップ部４３、第２グリップ部４４および第３グリップ部４５）の半径方向の寸法（Ｍ１１、Ｍ２１、Ｍ３１）は、ベース部（第１ベース部４６、第２ベース部４７、第３ベース部５０および第４ベース部４９）の半径方向の寸法（Ｍ０）よりも大きい。具体的には、第１グリップ部４３、第２グリップ部４４および第３グリップ部４５の半径方向の寸法Ｍ１１、Ｍ２１、Ｍ３１は、ベース部（第１ベース部４６、第２ベース部４７、第３ベース部５０および第４ベース部４９）の半径方向の寸法Ｍ０よりも大きい。したがって、前述の寸法Ｌ１、Ｌ２およびＬ３を寸法Ｌ０よりも大きくしつつ、第１グリップ部４３、第２グリップ部４４および第３グリップ部４５の剛性を必要な大きさに確保することができる。
【００５８】
（３）半径方向内側の面に配置され半径方向に延びる４つの第１スリット４３ａを第１グリップ部４３が有しているので、第１グリップ部４３の半径方向内側の部分を回転方向に伸ばすことができる。これにより、第１グリップ部４３の剛性を必要な大きさに確保しつつも、グリップベルト４１をズームリング３１に巻きつける際にグリップベルト４１を大きく開くことができ、グリップベルト４１をズームリング３１に装着しやすくなる。
【００５９】
また、半径方向内側の面に配置され半径方向に延びる３つの第２スリット４４ａを第２グリップ部４４が有しているので、第２グリップ部４４の半径方向内側の部分を回転方向に伸ばすことができる。これにより、第２グリップ部４４の剛性を必要な大きさに確保しつつも、グリップベルト４１をズームリング３１に巻きつける際にグリップベルト４１を大きく開くことができ、グリップベルト４１をズームリング３１に装着しやすくなる。
【００６０】
（４）第１スリット４３ａに取り外し可能に挿入するための挿入部４２ｃ、４２ｄ、４２ｅを固定ベルト４２が有しているので、挿入部４２ｃ、４２ｄ、４２ｅのうちどの部分を第１スリット４３ａに挿入するのかを調整することで、回転補助アセンブリ４の締め付け具合を調整することができる。
【００６１】
（５）第１グリップ部４３が回転方向の異なる位置に配置された複数の第１スリット４３ａを有しているので、第１スリット４３ａが回転方向に伸縮しやすくなり、グリップベルト４１をズームリング３１に巻きつける際に、あるいは、グリップベルト４１をズームリング３１から取り外す際に、グリップベルト４１を大きく開くことができ、回転補助アセンブリ４の着脱が容易となる。これは、複数の第２スリット４４ａが回転方向の異なる位置に配置されているので、第２グリップ部４４についても同様である。
【００６２】
また、第１スリット４３ａにより第１グリップ部４３が回転方向に伸縮しやすくなっているので、ズームリング３１の径が変わってもグリップベルト４１（特に第１グリップ部４３およびその周辺部）をズームリング３１の外周に沿わせやすくなり、回転調整部材の径に関わらず回転補助アセンブリ４の装着状態を安定させることができる。これは、第２グリップ部４４についても同様である。
【００６３】
さらに、固定ベルト４２を引っ掛ける第１スリット４３ａを変えることで、回転補助アセンブリ４の締め付け具合の微調整を行うことができる。
【００６４】
つまり、複数の第１スリット４３ａは、異なる回転調整部材の外周に回転補助アセンブリ４の形状を追従させる機能に加えて、回転補助アセンブリ４の締め付け具合を調整する機能も兼ね備えている。
【００６５】
（６）回転補助アセンブリ４が第１グリップ部４３および第２グリップ部４４を有しているので、ユーザーが回転補助アセンブリ４を指でつまみやすくなり、操作性をより高めることができる。
【００６６】
（７）第１グリップ部４３が回転方向に凹と凸とが繰り返されて形成された凹凸形状を有する第１滑り止め部４３ｂを有しており、第２グリップ部４４が回転方向に凹と凸とが繰り返されて形成された凹凸形状を有する第２滑り止め部４４ｂを有している。したがって、ユーザーが回転補助アセンブリ４を操作する際に指が滑りにくくなる。
【００６７】
（８）第２ベース部４７が回転方向に異なる位置に配置された止め部４７ａおよび４７ｂを有しているので、止め部４７ａおよび４７ｂのうちいずれに固定ベルト４２を引っ掛けるかによって回転補助アセンブリ４の締め付け具合を調整することができる。
【００６８】
（９）ズームリング３１の溝３１ａに挿入されるように第３グリップ部４５の半径方向内側の面から半径方向内側に突出する回転規制突起４５ａをグリップベルト４１が有している。回転規制突起４５ａが溝３１ａに挿入されるようにグリップベルト４１をズームリング３１に装着すると、グリップベルト４１がズームリング３１に対して回転方向に滑りそうになっても、回転規制突起４５ａが溝３１ａに当たってグリップベルト４１がズームリング３１に対して回転方向に滑るのを抑制することができる。
【００６９】
また、幅方向から見た場合に回転規制突起４５ａは１箇所だけ設けられているので、回転規制突起４５ａが複数箇所に設けられている場合に比べて、溝３１ａに回転規制突起４５ａを挿入しやすくなる。
【００７０】
〔他の実施形態〕
本発明は、前述の実施形態に限定されるものではなく、本発明の範囲を逸脱することなく種々の変形および修正が可能である。
【００７１】
（Ａ）回転補助アセンブリ４が装着される回転調整部材は、ズームリング３１に限られず、例えば、フォーカスリングであってもよい。また、回転調整部材を有するレンズ鏡筒は、交換レンズユニットに限られず、一体型の撮像装置に搭載されるレンズ鏡筒であってもよい。
【００７２】
（Ｂ）回転補助アセンブリ４は、グリップベルト４１、固定ベルト４２およびフェルト４８を有しているが、例えば、グリップベルト４１および固定ベルト４２が一体成形されていてもよいし、フェルト４８が省略されていてもよい。
【００７３】
また、グリップ部（第１グリップ部４３、第２グリップ部４４、第３グリップ部４５）がベース部（第１ベース部４６、第２ベース部４７、第３ベース部５０、第４ベース部４９）と別体であってもよい。
【００７４】
さらに、グリップベルト４１は、第１グリップ部４３、第２グリップ部４４および第３グリップ部４５を有しているが、少なくとも１つのグリップ部を有していればよい。また、グリップベルト４１は、第１ベース部４６、第２ベース部４７、第３ベース部５０および第４ベース部４９を有しているが、少なくとも１つのベース部を有していればよい。
【００７５】
なお、第１グリップ部４３、第２グリップ部４４および第３グリップ部４５の形状や配置は前述の実施形態に限定されない。
【００７６】
（Ｃ）前述の実施形態では、グリップ部（第１グリップ部４３、第２グリップ部４４および第３グリップ部４５）の半径方向の寸法（Ｍ１１、Ｍ２１およびＭ３１）は、ベース部（第１ベース部４６、第２ベース部４７、第３ベース部５０および第４ベース部４９）の半径方向の寸法（Ｍ０）よりも大きいが、グリップ部の半径方向の寸法がベース部の半径方向の寸法と同じあるいは半径方向の寸法よりも小さい場合も考えられる。この場合、例えば第１グリップ部４３が図１０に示す第１グリップ部１４３のような形状となる。
【００７７】
（Ｄ）前述の実施形態では、第１グリップ部４３が４つの第１スリット４３ａを有しているが、第１グリップ部４３が第１スリット４３ａを有していなくてもよい。また、第２グリップ部４４が３つの第２スリット４４ａを有しているが、第２グリップ部４４が第２スリット４４ａを有していなくてもよい。
【００７８】
また、第１スリット４３ａおよび第２スリット４４ａの寸法は前述の実施形態に限定されない。
【００７９】
（Ｅ）前述の実施形態では、固定ベルト４２の挿入部が、第１スリット４３ａのうち１つに挿入されているが、第２スリット４４ａに挿入されていてもよい。
【００８０】
（Ｆ）前述の実施形態では、グリップ部（第１グリップ部４３、第２グリップ部４４および第３グリップ部４５）が、凹凸形状を有しているが、凹凸形状を有していなくてもよい。また、第１滑り止め部４３ｂ、第２滑り止め部４４ｂおよび第３滑り止め部４５ｂの位置や形状は前述の実施形態に限定されない。例えば、第１滑り止め部４３ｂは複数の第１溝４３ｃを有しているが、溝以外の構成で凹凸形状が形成されていてもよい。
【００８１】
（Ｇ）前述の実施形態では、２つの止め部４７ａおよび４７ｂが第２ベース部４７に設けられているが、固定ベルト４２を引っ掛けるための止め部は少なくとも１つあればよい。
【００８２】
（Ｈ）前述の実施形態では、グリップベルト４１が回転規制突起４５ａを有しているが、グリップベルト４１が回転規制突起４５ａを有していなくてもよい。また、回転規制突起４５ａは幅方向に細長く延びているが、幅方向に細長く延びていなくてもよく、単なる突起であってもよい。
【００８３】
また、回転規制突起４５ａは複数箇所に設けられていてもよいが、溝３１ａに挿入されることを考慮すると、回転規制突起４５ａは幅方向から見た場合に１箇所だけ設けるのが好ましい。
【産業上の利用可能性】
【００８４】
上記の技術は、回転調整部材を有するレンズ鏡筒および撮像装置の分野で有用である。
【符号の説明】
【００８５】
１  デジタルカメラ
２  カメラ本体
３  交換レンズユニット（レンズ鏡筒の一例）
４  回転補助アセンブリ（回転補助アセンブリの一例）
４１  グリップベルト
４２  固定ベルト（固定部の一例）
４２ｃ、４２ｄ、４２ｅ  挿入部（挿入部の一例）
４２ｆ  ベルト端部（装着部の一例）
４３  第１グリップ部（グリップ部の一例、第１グリップ部の一例）
４３ａ  第１スリット（第１スリットの一例）
４３ｂ  第１滑り止め部
４３ｃ  第１溝
４３ｄ  凹部
４３ｅ  装着溝
４４  第２グリップ部（グリップ部の一例、第２グリップ部の一例）
４４ａ  第２スリット（第２スリットの一例）
４４ｂ  第２滑り止め部
４４ｃ  第２溝
４５  第３グリップ部
４５ａ  回転規制突起（突起の一例）
４６  第１ベース部（ベース部の一例、第１ベース部の一例）
４７  第２ベース部（ベース部の一例）
４７ａ  止め部（止め部の一例）
４７ｂ  止め部（止め部の一例）
４８  フェルト
４９  第４ベース部（ベース部の一例）
５０  第３ベース部（ベース部の一例）
【図１】
2012063693.tif 000003
【図２】
2012063693.tif 000004
【図３】
2012063693.tif 000005
【図４】
2012063693.tif 000006
【図５】
2012063693.tif 000007
【図６】
2012063693.tif 000008
【図７】
2012063693.tif 000009
【図８】
2012063693.tif 000010
【図９】
2012063693.tif 000011
【図１０】
2012063693.tif 000012